(57)【要約】【課題】洗濯機が水を大量に使用する家電であることに着目して、洗濯機に配設されている電源基板からの発熱を効率よく簡単な構造で確実に冷却できる洗濯機を得る。【解決手段】外箱１内に水槽２を揺動自在に吊支し、水道栓などの水源１４に接続される給水手段である給水ホース１８を水槽２に開口するとともに水槽２に排水手段である排水ホース１３を設け、外箱１内に基板例えば電源基板１２を配設した洗濯機において、前記給水手段と排水手段とに接続される水冷手段である水冷装置２０を前記電源基板１２に付設した。【選択図】        図１
2009268798.tif 000002
【特許請求の範囲】
【請求項１】
外箱内に水槽を揺動自在に吊支し、水源に接続される給水手段を水槽に開口するとともに水槽に排水手段を設け、外箱内に基板を配設した洗濯機において、前記給水手段に接続される水冷手段を前記基板に付設したことを特徴とする洗濯機。
【請求項２】
前記水冷手段に水が貯留可能となるよう、水の通過経路に水の貯留空間と弁を設けたことを特徴とする請求項１記載の洗濯機。
【請求項３】
前記水源に給水弁を設けることを特徴とする請求項１記載の洗濯機。
【請求項４】
前記基板に温度検出手段を設け、この温度検出手段からの出力で水源からの給水開始および停止を制御することを特徴とする請求項１または請求項３記載の洗濯機。
【請求項５】
水源からの給水開始および停止を制御プログラムで行うことを特徴とする請求項１から請求項４のいずれかに記載の洗濯機。
【発明の詳細な説明】
【技術分野】
【０００１】
本発明は、洗濯機の特に電源基板の冷却手段に関するものである。
【背景技術】
【０００２】
洗濯機は、例えば図５の特許文献１に示すように外箱１内に水槽２を揺動自在に配設し、この水槽２の内部に洗濯兼脱水槽３を配設し、外箱１の上部の開口にフタ４を設けたトップカバー５を取付け、このトップカバー５の後部に後面電装品パネル６を、前部に前面電装品パネル７をそれぞれ取付ける。
【０００３】
後面電装品パネル６は例えば給水弁、水位センサ、安全スイッチなどを配設し、前面電装パネル７には基板のうち低電圧基板を取付ける。
【０００４】
外箱１は、金属製の外枠本体８の周囲に形成される開口部９を、同じく金属製のパネルで覆うものであり、少なくとも前面パネル１０と側面パネル１１のいずれか一方、図示の例では前面パネル１０を外枠本体８に対して着脱自在に取付ける。
【０００５】
そして、前面パネル１０が着脱自在に取り付く外枠本体８に、１００Ｖ基板の取付ボックスを設けて、ここに１００Ｖ基板である電源基板１２を取付ける。
【０００６】
図中１３は、水槽２の底部に開口する排水手段である排水ホースを示す。
【特許文献１】特開平８−５７１９０号公報
【発明の開示】
【発明が解決しようとする課題】
【０００７】
前記電源基板には、電流が流れることによって発熱する電子部品が取付けられており、この電子部品は発熱温度が一定の温度以上になると変形したり、焦げたりする。そこで、発熱温度の高い電子部品については放熱板を設けたり、ファンを取付けたりして放熱性を高め、電子部品の高温化を防ぐようにしていた。
【０００８】
しかしながら、近年、洗濯容量の増大化や、乾燥機能の追加によって電子部品の負荷が増大するとともに、使用時間も長時間化し、その結果、従来の放熱板を設けるなどの手段では電子部品の発熱に対して放熱を十分に行えなくなっている。
【０００９】
なお、パソコンなどにおいては、放熱手段として、情報を記録するハードディスクドライブ装置（ＨＤＤ）を水冷式の冷却装置で冷却する手段が特開２００７−２８７２１２号公報などに開示されているが、洗濯機においては水冷方式で電源基板の放熱を行う手段として確立されたものはない。
【００１０】
本発明は前記従来例の不都合を解消するものとして、洗濯機が水を大量に使用する家電であることに着目して、洗濯機に配設されている電源基板からの発熱を効率よく簡単な構造で確実に冷却できる洗濯機を提供するものである。
【課題を解決するための手段】
【００１１】
本発明は、外箱内に水槽を揺動自在に吊支し、水源に接続される給水手段を水槽に開口するとともに水槽に排水手段を設け、外箱内に基板を配設した洗濯機において、前記給水手段と排水手段とに接続される水冷手段を前記基板に付設したことを要旨とするものである。
【発明の効果】
【００１２】
以上述べたように本発明の洗濯機は、洗濯機が水を大量に使用する家電であることに着目して、この水と洗濯機に備わっている給水および排水の手段を利用して洗濯機に配設されている電源基板からの発熱を効率よく簡単な構造で確実に冷却できるものである。よって、電子部品などの熱による破損を防止でき、電子部品の発熱を抑制できるから電子部品にさらに負荷をかけることができて洗濯容量や使用時間、機能の増大化を図ることができる。
【発明を実施するための最良の形態】
【００１３】
以下、図面について本発明の実施形態を詳細に説明する。図１は本発明の洗濯機の実施形態を示す説明図で、洗濯機の全体構成は図５について既に説明した従来例と同様であるからここでの詳細な説明は省略する。
【００１４】
本発明の洗濯機も従来と同様に給水手段と排水手段とを備えるものであり、給水手段は、水道栓などの水源１４に接続される給水管１５が給水弁１６を介して給水ホース１８に接続され、この給水ホース１８が洗濯兼脱水槽３に開口している。
【００１５】
また、排水手段は途中に排水弁１７を設けた排水ホース１３が水槽２の底部に開口している。
【００１６】
そして、図５の従来例と同様に面パネル１０が着脱自在に取り付く外枠本体８に、１００Ｖ基板の取付ボックスを設けて、ここに１００Ｖ基板である電源基板１２が取付けられており、この電源基板１２には図２に示すように電流が流れることによって発熱する電子部品や放熱板１９が取付けられている。
【００１７】
本発明はかかる構成の洗濯機において、前記電源基板１２の発熱する電子部品や放熱板１９に冷却装置として水冷装置２０を取付けた。
【００１８】
この水冷装置２０は、洗濯機に従来から備わっている前記給水手段と排水手段とに接続されるもので、水冷装置２０の水の流入側は、給水ホース１８および三方給水弁１６、給水管１５を介して水源１４に接続される。
【００１９】
水冷装置２０の水の排出側は排水ホース１３ａを介して排水弁１７および排水ホース１３に接続される。
【００２０】
また、発熱する電子部品や放熱板１９の温度を検出する温度センサ２１を電子部品や放熱板１９の近傍位置に配設する。
【００２１】
水冷装置２０の具体的構成としては、例えば図３に示すように箱形タイプとし、ボックス２０ａの上部に給水ホース１８を開口し、下部に排水ホース１３ａを開口して、内壁の左右から複数のフィン２０ｂを互い違いに水平に突設して、水との接触面積を大きくし上方から下方に向けて蛇行する水の流れを形成する。
【００２２】
この場合、水が流れやすいようにフィン２０ｂの上面は下方に向けて傾斜させる。
【００２３】
他の例としては図４に示すようにパイプタイプとし、給水ホース１８と排水ホース１３ａとの間を波状に蛇行するパイプ２２で構成する。発熱する電子部品や放熱板１９が大きい場合は、パイプタイプとしたほうが放熱効果が高くなる。
【００２４】
次に作用について説明すると、運転時には、水槽への給水と独立し冷却手段へ給水する給水弁１６を開いて給水ホース１８から冷却装置２０に水を流し、この水で発熱する電子部品や放熱板１９を冷却し、熱を冷ます。給水弁１６を設けることで給水のタイミングを制御できる。よって、熱による電子部品などの破損を防止できる。
【００２５】
冷却装置２０内を流れた水は排水弁１７を開くことで排水ホース１３ａから排出される。排水弁１７を設けることで水冷装置２０に水を貯留することが可能となり、水の使用量を減らすことができる。
【００２６】
水冷装置２０に水を注入するタイミングは、運転中、常時流し続けてもよいが、制御装置にプログラムを予め設定しておき、例えば洗濯運転の給水行程と連動させて、給水行程で給水弁１６を開くときに給水して水冷装置２０に水を注入してボックス２０ａやパイプ２２の中に水を貯留し、洗濯運転の排水行程で排水弁１７を開くときに排水することもできる。水の貯留は前記ボックス１０ａなどのほかに、別途、貯留装置２３を給水弁１６と電源基板１２との間に位置させて給水ホース１８に設けて、ここに貯留することもできる。かかる給水制御や水を貯留することにより水の使用量を減らすことができる。
【００２７】
また、温度センサ２１で発熱する電子部品や放熱板１９の温度を検出し、検出温度が予め設定してある所定温度以上になったときに給水を開始して、冷却を行い、所定の設定温度以下になれば給水を停止することもできる。かかる給水制御により水の使用量を減らすことができる。
【００２８】
さらに、水冷装置２０にファンを取付けて、冷却時にはファンを作動することもでき、この場合は、ファンとの併用によってより高い放熱性を得ることができる。
【００２９】
なお、前記実施形態は冷却装置２０を設ける対象を電源基板としたが、これに限定されるものではなく制御基板にも実施可能である。
【図面の簡単な説明】
【００３０】
【図１】本発明の洗濯機の実施形態を示す説明図である。
【図２】本発明の洗濯機の実施形態を示す要部の電源基板の正面図である。
【図３】本発明の洗濯機の実施形態を示す要部の冷却装置の第１例を示す縦断正面図である。
【図４】本発明の洗濯機の実施形態を示す要部の冷却装置の第２例を示す縦断正面図である。
【図５】従来の洗濯機の分解斜視図である。
【符号の説明】
【００３１】
１  外箱                        ２  水槽
３  洗濯兼脱水槽                ４  フタ
５  トップカバー                ６  後面電装品パネル
７  前面電装品パネル            ８  外枠本体
９  開口部                      １０  前面パネル
１１  側面パネル                １２  電源基板
１３  排水ホース                １３ａ  排水ホース
１４  水源
１５  給水管                    １６  給水弁
１７  排水弁                    １８  給水ホース
１９  発熱する電子部品や放熱板  ２０  冷却装置
２０ａ  ボックス                ２０ｂ  フィン
２１  温度センサ                ２２  パイプ
２３  貯留装置
【図１】
2009268798.tif 000003
【図２】
2009268798.tif 000004
【図３】
2009268798.tif 000005
【図４】
2009268798.tif 000006
【図５】
2009268798.tif 000007